(57)【特許請求の範囲】
【請求項１】
先部の外面に本体側係止部を有し内部にリフィールを収納した筒状の本体と、該本体を収納するよう一端が開口した筒状の本体カバーと、該本体カバーの内部に軸方向に前進・後退可能に設けられ本体の先部を取り囲むよう後方に拡径しアーム側係止部を有するアーム部と、該アーム部を後退方向に付勢するばねと、該アーム部をノック操作により本体カバーの軸方向に移動させた際、該アーム部を前進位置及び後退位置にそれぞれ保持するカム機構と、該アーム部が前進位置にあるときアーム部を縮径する手段を具備し、上記カム機構は、本体カバー内に固定され内方突起を有する固定カムと、該固定カム内に軸方向に移動可能にかつ回転可能に設けられ上記内方突起が入り込む略ハート型のカム溝を有するカム筒と、カム筒の内方に連結され後部に上記アーム部を形成したカム受けを具備し、上記本体の先部をアーム部に挿入して該アーム部を前進位置に移動させ本体側係止部とアーム側係止部を係合させて本体を本体カバー内に保持するとともに、該本体をノックしてアーム部を後退位置に移動させアーム側係止部と本体側係止部の係合を外して本体を本体カバーから取り外すようにしたことを特徴とする筆記具。
【請求項２】
上記固定カムの後部が、アーム部が前進した際該アーム部を縮径させる手段となっている請求項１に記載の筆記具。
【請求項３】
上記固定カムにはスライド突起を有するガイド片が形成され、カム筒にはスライド突起の移動に抵抗を与える案内突起が設けられている請求項１または２に記載の筆記具。
【請求項４】
上記本体カバーは本体より長く形成されている請求項１から３のいずれかに記載の筆記具。
【請求項５】
上記本体カバー内には本体を後端側から挿入した際、該本体の後端が当接するリブが形成されている請求項４に記載の筆記具。
【発明の詳細な説明】
【技術分野】
【０００１】
本発明は、キャップを有する筆記具において、簡単にキャップが外れないように本体に取り付けでき、筆記の際には容易に本体からキャップを取り外すことができるようにした筆記具に関するものである。
【背景技術】
【０００２】
筆記具のキャップは、筆記先端を保護するため、本体の先端に着脱自在に嵌着されている。本体にキャップを着脱自在に取り付ける構造として、本体に環状の突起を形成し、キャップの内面に小突起を設け、キャップを本体に嵌着したとき小突起が本体の環状の突起を乗り越えて両突起が係合し、キャップを本体に装着する構成が広く用いられている（例えば特許文献１参照）。筆記の際は、本体を支持してキャップを強く引けば、上記突起の係合が外れ、キャップを本体から取り外すことができる。
【０００３】
通常、上記キャップには、ポケット等の縁に引っ掛けて保持しておくためにクリップが設けられている。しかし、上記のように、従来の筆記具のキャップは本体の外面とキャップの内面に設けた突起を係合することによりキャップを本体に取り付けてあるだけなので、本体に衝撃や引張力が作用すると、突起間の係合が外れて、キャップが脱落してしまうことがある。
【０００４】
キャップと本体をねじ嵌めする構成も知られているが、この構成では、使用に際にキャップを本体の回りで回転させなければならないので、取り扱いが面倒である。
【先行技術文献】
【特許文献】
【０００５】
【特許文献１】特開平１１−２０８１８５号公報（段落０００５、図２）
【発明の概要】
【発明が解決しようとする課題】
【０００６】
本発明の解決課題は、本体にキャップを簡単かつ確実に取り付けでき、筆記の際にはノック操作でキャップを容易に外すことができるキャップ付きの筆記具を提供することである。
【課題を解決するための手段】
【０００７】
本発明によれば、先部の外面に本体側係止部を有し内部にリフィールを収納した筒状の本体と、該本体を収納するよう一端が開口した筒状の本体カバーと、該本体カバーの内部に軸方向に前進・後退可能に設けられ本体の先部を取り囲むよう後方に拡径しアーム側係止部を有するアーム部と、該アーム部を後退方向に付勢するばねと、該アーム部をノック操作により本体カバーの軸方向に移動させた際、該アーム部を前進位置及び後退位置にそれぞれ保持するカム機構と、該アーム部が前進位置にあるときアーム部を縮径する手段を具備し、上記本体の先部をアーム部に挿入して該アーム部を前進位置に移動させ本体側係止部とアーム側係止部を係合させて本体を本体カバー内に保持するとともに、該本体をノックしてアーム部を後退位置に移動させアーム側係止部と本体側係止部の係合を外して本体を本体カバーから取り外すようにしたことを特徴とする筆記具が提供され、上記課題が解決される。
【０００８】
また、本発明によれば、上記カム機構は、本体カバー内に固定され内方突起を有する固定カムと、該固定カム内に軸方向に移動可能にかつ回転可能に設けられ上記内方突起が入り込むハート型カム溝を有する筒状のカム筒と、該カム筒の内方に連結され後部に上記アーム部を形成したカム受けを含み、上記固定カムはアーム部が前進した際該アーム部を縮径させる手段となっている上記筆記具が提供される。さらに、上記固定カムとカム筒間にはカム筒が前進位置若しくは後退位置に移動する際、カム筒の移動に抵抗を与えるよう弾性的に係脱するガイド片と案内突起が設けられている上記筆記具が提供される。
【発明の効果】
【０００９】
本発明は、上記のように構成され、先部の外面に本体側係止部を有し内部にリフィールを収納した筒状の本体と、該本体を収納するよう一端が開口した筒状の本体カバーと、該本体カバーの内部に軸方向に前進・後退可能に設けられ本体の先部を取り囲むよう後方に拡径しアーム側係止部を有するアーム部と、該アーム部を後退方向に付勢するばねと、該アーム部をノック操作により本体カバーの軸方向に移動させた際、該アーム部を前進位置及び後退位置にそれぞれ保持するカム機構と、該アーム部が前進位置にあるときアーム部を縮径する手段を具備し、上記本体の先部をアーム部に挿入して該アーム部を前進位置に移動させ本体側係止部とアーム側係止部を係合させて本体を本体カバー内に保持するとともに、該本体をノックしてアーム部を後退位置に移動させアーム側係止部と本体側係止部の係合を外して本体を本体カバーから取り外すようにしたから、本体カバー内に本体を挿入してアーム部を前進位置に移動させると、アーム部は縮径してアーム側係止部と本体側係止部が係合し、本体はアーム部によりチャックされ、振動、衝撃が作用しても本体カバーが外れないように本体の先部をキャップすることができる。
【００１０】
また、上記本体をノックするとカム機構によりアーム部は後退位置に移動し、アーム部は拡径されるから、アーム側係止部と本体側係止部の係合が外れ、本体のチャックは開放され、該本体を本体カバーから簡単に取り外すことができる。カム機構を構成する固定カムとカム筒間に、カム筒が前進位置若しくは後退位置に移動する際、カム筒の移動に抵抗を与えるよう弾性的に係脱するガイド片と案内突起を設けると、ノック操作をしたとき、ノック作用を確認することができ、使い易い。
【図面の簡単な説明】
【００１１】
【図１】本発明の一実施例を示す、本体をロックした状態の断面図。
【図２】本体のロックを解除した状態の断面図。
【図３】使用状態の断面図。
【図４】本体カバーを示し、（Ａ）はリブから離れた部分の断面図、（Ｂ）はリブに沿った部分の断面図、（Ｃ）は（Ｂ）図のＣ−Ｃ線断面図。
【図５】カム受けを示し、（Ａ）は平面図、（Ｂ）は正面図、（Ｃ）は断面図、（Ｄ）は側面図。
【図６】固定カムを示し、（Ａ）は底面図、（Ｂ）は正面図、（Ｃ）は断面図、（Ｄ）は側面図。
【図７】カム筒を示し、（Ａ）は平面図、（Ｂ）は断面図、（Ｃ）は底面図、（Ｄ）は側面図。
【図８】カムの説明図。
【図９】ガイド片と案内突起を示し、（Ａ）はカム筒を縦断面した方向から見た説明図、（Ｂ）は底面から見た説明図、（Ｃ）はカム筒に沿った断面から見た説明図。
【図１０】ロック状態の一部の拡大断面図。
【図１１】ロック解除の途中の状態の一部の拡大断面図。
【図１２】ロックを解除した状態の一部の拡大断面図。
【発明を実施するための形態】
【００１２】
図１〜図３を参照し、本発明の筆記具は、内部にリフィール２を収納した筒状の本体１と、該本体を収納するよう一端が開口３した筒状の本体カバー（キャップ）４を有し、本体カバー４の長さは、該本体カバー４内に上記本体１を収納した状態で該本体１の後端が本体カバー４から少し突出する程度に、本体１より少し長く形成されている。上記本体１は先部外面に本体側係止部５が形成され、図に示す実施例では先部に装着したテーパー６の外面に凹部を形成して係止部５としてある。この凹部は凸部に形成することもできる。上記リフィール２は、図に示す実施例では、ボールペンリフィールが示されているが、マーカーやシャープペンシルその他適宜のリフィールに適用することができる。リフィール２は、本体１の後端から挿入され、筆記端７を上記テーパー６の先端から突出させ、本体１の後端に装着した尾栓８で後部が支持されている。
【００１３】
上記本体カバー４は底部９を有し、図４に示すように、底部９の中心に軸方向に延びる支持軸１０が形成され、本体カバーの内壁に沿ってリブ１１が形成され、かつ底部９近くには本体カバー側係止部１２が設けられている。なお、該リブ１１の長さは、本体カバー４を外して本体１の後端を該本体カバー４の開口３から挿入したとき、本体１の筆記端７が本体カバー４から露出した状態で本体１の後端にリブ１１の先端が当って、筆圧が作用した際に本体１が本体カバー内に没入しない程度の長さにしてある（図３参照）。
【００１４】
上記本体カバー４内には、本体カバーの軸方向に前進・後退可能にアーム部１３が設けられており、該アーム部１３は、上記本体１のテーパー６を取り囲むことができるよう後方に拡径している。該アーム部１３は自ら有する弾性により後端が外方に広がっており、弾性的に縮径可能である。このアーム部１３には、上記本体側係止部５に係合可能なアーム側係止部１４が設けられている。図に示す実施例では、上記本体側係止部５が凹部に形成されているので、アーム側係止部１４は凸部に形成されている。上記本体側係止部５を凸部に形成してアーム側係止部１４を凹部に形成したり、両係止部を断面略山形形状等の噛み合い面や粗面に形成してもよい（図示略）。
【００１５】
図５に示すように、上記アーム部１３は、カム受け１５と一体的に形成され、上記本体カバー４の支持軸１０に装着したばね１６で後退方向に付勢されている。該カム受け１５は、後端側に上記アーム部１３を有する略筒状に形成され、該アーム部１３は割り溝１７を介して半円弧状に対向しており、内面に沿って上記アーム側係止部１４となる凸起が形成されている。アーム部１３の外面には隆起部１８が形成されている。カム受け１５の内方には、上記リフィール２の筆記端７を受け入れる孔１９が形成されている。該カム受け１５の前端側には、上記ばね１６の一端が入り込む受孔２０が形成されている。また、前部の外周には傾斜面とそれに続く受溝を有するカム受け側係止部２１が設けられ、組み立ての際に、該カム受け側係止部２１が内方に撓むことができるようスリット２２が設けられている。
【００１６】
上記アーム部１３をノック操作により本体カバー４の軸方向に移動させた際、該アーム部を前進位置及び後退位置にそれぞれ保持するカム機構が設けられている。このような機能を有するカム機構としては、ノック式筆記具等に用いられている各種のカム機構が知られており、これらのカム機構を適宜採用することができる。実施例においては、下記するように、いわゆるハート型カム溝を用いたハートカム機構が示されている。図１において、本体カバー４内には固定カム２３が固定されている。該固定カム２３は、図６に示すように、本体カバー内に内接する筒状に形成され、外面には上記本体カバー４の本体カバー側係止部１２に係合する固定カム側係止部２４と、固定カムの回転を阻止するよう本体カバー４に形成したリブ１１が入り込む受溝２５が設けられ、内面には内方突起２６が突設されている。また、該内方突起２６に対向する固定カム２３の壁部には略コ字状の切欠き２７を介して一端に自由端を有するガイド片２８が形成されている。該ガイド片の自由端側の内面にはスライド突起２９が設けられ、該自由端は弾性的に半径方向に揺動可能である。
【００１７】
上記固定カム２３の内方にはカム筒３０が軸方向に移動可能にかつ回転可能に挿入されている。該カム筒３０の外面には、図７に示すように、固定カム２３の上記内方突起２６が入り込む略ハート型のカム溝３１が形成されている。該カム溝３１は、環状に形成され、組み立ての際上記内方突起２６をカム溝３１に入れるための傾斜入口部３２を前端側に有し、図８に示すように、本体カバー４内に本体１を収納してロックするとき内方突起２６が係止される収納段部３３と、本体カバー４から本体１を外してロック解除したとき内方突起２６が係止される解除段部３４が設けられ、ノック操作によりカム筒３０を図８において左方に移動した後、ノック操作を止めてばね１６の作用でカム筒１５が図８において右行することにより、相対的に、該収納段部３３と解除段部３４間を内方突起２６が循環して移動するよう環状に設けられている。実際には、固定カム２３は回転しないから、この移動は、カム筒３０が軸方向に前後動しかつ回転することにより行われる。また、カム筒３０は、上記カム受け１５を収納できる内径に形成され、内面には、該カム受け１５のカム受け側係止部２１に係合するカム筒側係止部３５が設けられている。図に示す実施例ではこのカム筒側係止部３５は上記カム受け側係止部２１の受溝に入り込む環状の突起に形成されている。
【００１８】
上記カム筒３０の外面には、カム筒３０の移動にクリック感を与えるよう固定カム２３のガイド片２８に設けた上記スライド突起２９が摺接して係脱するよう案内突起３６が設けられている。該案内突起３６は、図７及び図９に示すように、上記カム溝３１に対応して該カム溝と反体側のカム筒１５の表面に設けた案内凹部３７内に、一端が傾斜する断面略山形状に形成してある。該案内凹部３７の前端側には、組み立ての際上記スライド突起２９が通過する傾斜入口部３８があり、この案内凹部３７内の、上記カム溝３１の解除段部３４に対応する部分から収納段部３３に対応する部分に向かう途中の部位と、収納段部３３に対応する部分から内方突起２６が該収納段部３３から外れる部分に対応する部位に設けられている。そして、ノック操作した際、スライド突起２９が次第に案内突起３６の傾斜面に乗り上げるときガイド片２８が外方に反り、該案内突起３６を通過したとき、すなわち傾斜面からスライド突起２９が外れると、ガイド片２８の反りが戻り、このときの小さな衝撃がノックしている人（使用者）に伝わるようにしてある。
【００１９】
上記本体カバー４内には、上記アーム部１３が前進位置にあるとき、該アーム部１３を縮径する手段が設けられている。図に示す実施例では、アーム部４が前進位置に移動するとき上記固定カム２３の後端内面にアーム部１３の隆起部１８が摺接して該アーム部１３を縮径するよう固定カム２３の後部の内面に緩やかに傾斜する縮径面３９を形成してある。固定カム２３とは別に、本体カバー４の内面の適宜の位置に押圧リブや環状の突起等を設けてアーム部を縮径できるようにしてもよい（図示略）。
【００２０】
図１０〜図１２を参照し、使用状態を説明すると、本体１の筆記端７を本体カバー４の開口３から本体カバー４内に挿入し、該筆記端７をカム受け１５の孔１９内に入れてカム受け１５を前方に押し込むと、アーム部１３は前進する。押圧を止めると、上記固定カム２３、カム筒３０を介して固定カム２３の内方突起２６はカム筒３０の収納段部３３に係合し、アーム部１３は前進位置で保持され、アーム部１３は縮径される。その結果、アーム側係止部１４と本体側係止部５が係合し、本体１はアーム部１３でチャックされ、本体カバー４内に収納された状態でロックされ（図１０、図１）、振動、衝撃によって本体１が本体カバー４から外れるおそれはない。
【００２１】
ロックを解除するには、図１に示す状態で本体カバー４から突出している本体１の後端をノックすると、図１１に示すように、カム筒３０はさらに少し前進し、押圧を止めると、内方突起２６がカム溝３１の収納段部３３から解除段部３４に移動する位置までカム筒３０及びカム受け１５がばねの作用で後退し、後退位置に保持される。そして、上記アーム部１３は固定カム２３から外れ、自ら有する弾性作用で拡径し、アーム側係止部１４と本体側係止部５の係合が外れる。したがって、本体１は自由になって本体カバー４を外すことができ、後端を図３に示すように本体カバー４内に差し込んで、筆記することができる。
【００２２】
上記ハート型カム機構として、実施例においては固定カムに内方突起を設け、カム筒にカム溝を形成してあるが、固定カムにカム溝を形成し、カム筒に該カム溝に係合する突起を設けるようにしてもよい（図示略）。
【符号の説明】
【００２３】
１    本体
４    本体カバー
５    本体側係止部
１３  アーム部
１４  アーム側係止部
１５  カム受け
１６  ばね
２３  固定カム
２６  内方突起
３０  カム筒
３１  カム溝
【図１】
0005525409.tif 000002
【図２】
0005525409.tif 000003
【図３】
0005525409.tif 000004
【図４】
0005525409.tif 000005
【図５】
0005525409.tif 000006
【図６】
0005525409.tif 000007
【図７】
0005525409.tif 000008
【図８】
0005525409.tif 000009
【図９】
0005525409.tif 000010
【図１０】
0005525409.tif 000011
【図１１】
0005525409.tif 000012
【図１２】
0005525409.tif 000013